(57)【要約】【課題】認証用情報の作成に対するユーザの負担を軽減するための手法を提供する。【解決手段】認証支援方法は、ユーザに関する情報の選択を受け付けるステップと、選択された情報を含む画面を表示させるステップと、受け付けるステップにおいて選択を受け付けることによって情報が選択されている状態において、ユーザを撮影して認証用画像を取得するステップと、取得した認証用画像を、選択された情報に関連付けるステップと、を含む。【選択図】図１
2015141510.tif 000002
【特許請求の範囲】
【請求項１】
ユーザに関する情報の選択を受け付けるステップと、
前記受け付けるステップにおいて選択を受け付けることによって情報が選択されている状態において、ユーザを撮影して認証用画像を取得するステップと、
取得した認証用画像を、選択された情報に関連付けるステップと、
を含むことを特徴とする認証支援方法。
【請求項２】
前記受け付けるステップと取得するステップとの間に、選択された情報を含む画面を表示させるステップを含むことを特徴とする請求項１に記載の認証支援方法。
【請求項３】
前記表示させるステップでは、選択された情報を含む画面であって前記取得するステップの実行指示を受け付けるためのアイコンを含む画像を表示させることを特徴とする請求項２に記載の認証支援方法。
【請求項４】
ユーザを撮影して被認証用画像を取得するステップと、
被認証用画像に対応するユーザと認証用画像に対応するユーザとが同一人であるか否かを判定するために、被認証用画像と認証用画像を照合するステップと、
をさらに含むことを特徴とする請求項１から３のいずれかに記載の認証支援方法。
【請求項５】
ユーザに関する情報の選択を受け付ける機能と、
前記受け付ける機能が選択を受け付けることによって情報が選択されている状態において、ユーザを撮影して認証用画像を取得する機能と、
取得した認証用画像を、選択された情報に関連付ける機能と、
をコンピュータに実現させることを特徴とするコンピュータプログラム。
【請求項６】
ユーザに関する情報の選択を受け付ける受付部と、
前記受付部が選択を受け付けることによって情報が選択されている状態において、ユーザを撮影して認証用画像を取得する撮影部と、
取得した認証用画像を、選択された情報に関連付ける関連付部と、
を備えることを特徴とする認証支援端末。
【請求項７】
ユーザに関する情報の選択を受け付ける受付部と、
前記受付部が選択を受け付けることによって情報が選択されている状態において、ユーザを撮影して認証用画像を取得する取得する撮影部と、
取得した認証用画像を、選択された情報に関連付ける関連付部と、
を備えることを特徴とする認証支援システム。
【発明の詳細な説明】
【技術分野】
【０００１】
本発明は、認証支援方法、認証支援端末および認証支援システムに関する。
【背景技術】
【０００２】
社員証、学生証、入館証などのＩＤカードが普及している。一般に、この種のＩＤカードには、本人確認に使用される情報（以下、「認証用情報」と呼ぶ）が記録・印刷される（例えば特許文献１）。この認証用情報には、ユーザ名や所属機関などのユーザに関する情報（以下、「ユーザ情報」と呼ぶ）と、そのユーザの顔写真データとが含まれる。
【先行技術文献】
【特許文献】
【０００３】
【特許文献１】特開２００６−２１２８３１号公報
【発明の概要】
【発明が解決しようとする課題】
【０００４】
従来、ＩＤカードを作成する場合、カードの所有者となるユーザのユーザ情報と、そのユーザの顔写真データとを手動で関連付けることにより認証用情報を作成し、これをカードに記録・印刷していた。一度に多くのＩＤカードを作成する場合、認証用情報の作成作業は担当者にとって大きな負担となる。
【０００５】
このような課題は、ＩＤカードを作成する場合に限らず、他の目的で認証用情報を作成する場合にも生じうる。
【０００６】
本発明はこうした課題に鑑みてなされたものであり、その目的は、認証用情報の作成に対する担当者の負担を軽減するための手法の提供にある。
【課題を解決するための手段】
【０００７】
上記課題を解決するために、本発明のある態様の認証支援方法は、ユーザに関する情報の選択を受け付けるステップと、受付ステップにおいて選択を受け付けることによって情報が選択されている状態において、ユーザを撮影して認証用画像を取得するステップと、取得した認証用画像を、選択された情報に関連付けるステップと、を含む。
【０００８】
本発明の別の態様は、認証支援端末である。この認証支援端末は、ユーザに関する情報の選択を受け付ける受付部と、受付部が選択を受け付けることによって情報が選択されている状態において、ユーザを撮影して認証用画像を取得する撮影部と、取得した認証用画像を、選択された情報に関連付ける関連付部と、を備える。
【０００９】
本発明のさらに別の態様は、認証支援システムである。この認証支援システムは、ユーザに関する情報の選択を受け付ける受付部と、受付部が選択を受け付けることによって情報が選択されている状態において、ユーザを撮影して認証用画像を取得する取得する撮影部と、取得した認証用画像を、選択された情報に関連付ける関連付部と、を備える。
【００１０】
なお、以上の構成要素の任意の組み合わせや、本発明の構成要素や表現を装置、方法、システム、コンピュータプログラム、コンピュータプログラムを格納した記録媒体などの間で相互に置換したものもまた、本発明の態様として有効である。
【発明の効果】
【００１１】
本発明によれば、認証用情報の作成に対するユーザの負担を軽減することができる。
【図面の簡単な説明】
【００１２】
【図１】第１の実施の形態の認証支援システムの構成を示す図である。
【図２】図１の申請情報保持部のデータ構造を示す図である。
【図３】図１の認証用情報保持部のデータ構造を示す図である。
【図４】ユーザ情報選択画面を示す図である。
【図５】認証用情報作成画面を示す図である。
【図６】認証用情報作成画面を示す図である。
【図７】撮影時にタッチパネルに表示される様子を示す図である。
【図８】認証用情報作成処理を示すフローチャートである。
【図９】照合処理を示すフローチャートである。
【図１０】第２の実施の形態の認証支援システムの構成を示す図である。
【発明を実施するための形態】
【００１３】
以下、本発明を好適な実施の形態をもとに図面を参照しながら説明する。各図面に示される同一または同等の構成要素、部材、処理には、同一の符号を付するものとし、適宜重複した説明は省略する。
【００１４】
（第１の実施の形態）
本実施の形態に係る認証支援システムの概要は以下の通りである。
本実施の形態に係る認証支援システムは、ユーザの本人確認に使用される情報（以下、「認証用情報」と呼ぶ）の作成を支援する。この認証用情報は、ユーザ名や所属機関などのユーザに関する情報（以下、「ユーザ情報」と呼ぶ）と、そのユーザの顔写真データと、を含む。
【００１５】
従来は、認証用情報を管理する担当者（以下、単に「担当者」と呼ぶ）が、ユーザから受け付けたユーザ情報に、そのユーザの顔写真データを手動で関連付けることにより認証用情報を作成していた。例えば１日に数百ユーザもの認証用情報を数人の担当者で作成する場合もあり、担当者にかかる負担は比較的高かった。また、手動で関連付けていたため、担当者のミスなどにより、ユーザ情報に異なるユーザの顔写真データが関連付けられてしまう場合もあった。
【００１６】
そこで、本実施の形態に係る認証支援システムでは、情報処理端末においてユーザ情報が選択されている状態で、そのユーザ情報のユーザを撮影して顔写真データを取得し、取得した顔写真データとユーザ情報とを自動で関連付け、認証用情報を作成する。作成された認証用情報は、例えば社員証や入館証や学生証などのＩＤカードに印刷される。また、作成された認証情報は情報処理端末に保持され、ユーザを認証するのに用いられる。例えば、作成されたＩＤカードを受け取りに来たユーザが、そのＩＤカードのユーザ本人であるか否かを認証する。以下、認証支援システムについて具体的に説明する。
【００１７】
図１は、第１の実施の形態に係る認証支援システム１００の構成を示す。認証支援システム１００は、認証支援サーバ１０と、認証支援端末１２と、ＩＤカードプリンタ１４と、を備える。図１の各装置は、ＬＡＮ・ＷＡＮ・インターネット等を含む無線および有線の通信網を介して接続される。
【００１８】
ユーザは、所定の端末を介して認証支援サーバ１０に認証用情報の作成（あるいはＩＤカードの作成）を申請する。ユーザの依頼を受け付けた担当者やその他の者が申請してもよい。認証支援サーバ１０は、この申請を受け付け、その内容を申請情報として管理する。認証支援サーバ１０は、申請情報を認証支援端末１２に送る。
【００１９】
認証支援端末１２は、担当者が使用する情報処理端末である。本実施の形態の認証支援端末１２は、撮影機能を有するタブレット端末（タブレットコンピュータ）であることとする。なお、認証支援端末１２は、撮影機能を有するスマートフォンや、撮影機能を有する装置が接続された一般的なＰＣ端末であってもよい。認証支援端末１２には、認証用情報の作成処理を実現するためのアプリケーションがインストールされている。
【００２０】
担当者は、認証支援端末１２により、申請のあったユーザの認証用情報を作成する。具体的には、担当者は、認証用情報を作成するユーザのユーザ情報を選択し、その状態で認証支援端末１２の撮影機能によりユーザを撮影し、顔写真を取得する。認証支援端末１２は、選択されているユーザ情報と、取得した顔写真とを関連付け、それらを保持する。こうして、ユーザ情報と、そのユーザの顔写真とが関連付けられた認証用情報が作成される。
【００２１】
認証支援端末１２は、作成した認証情報をＩＤカードプリンタ１４に出力する。ＩＤカードプリンタ１４は、出力された認証情報を所定のカードに印刷し、ＩＤカードを作成する。また認証支援端末１２は、作成されたＩＤカードを受け取りに来たユーザがそのＩＤカードのユーザ本人であるか否かを認証する。具体的には、受け取りに来たユーザから、ユーザ情報と顔写真データとを含む情報（以下、「被認証情報」と呼ぶ）を受け付ける。この被認証情報と認証情報とを照合して認証する。担当者は、こうして認証されたユーザにＩＤカードを受け渡す。
【００２２】
次に、認証支援端末１２を詳細に説明する。図１は、認証支援端末１２の機能ブロックも示している。認証支援端末１２は、タッチパネル２０と、申請情報保持部２２と、認証用情報保持部２４と、制御部２６と、を含む。制御部２６は、操作検出部２８と、表示制御部３０と、通信処理部３２と、撮影処理部３４と、認証支援部３６と、を含む。
【００２３】
ここに示す各ブロックは、ハードウェア的には、コンピュータのＣＰＵやメモリをはじめとする素子や機械装置で実現でき、ソフトウェア的にはコンピュータプログラム等によって実現されるが、ここでは、それらの連携によって実現される機能ブロックを描いている。したがって、これらの機能ブロックはハードウェア、ソフトウェアの組合せによっていろいろなかたちで実現できることは、当業者には理解されるところである。以降のブロック図についても同様である。
【００２４】
例えば、制御部２６内の各機能ブロックに対応するプログラムモジュールが認証支援端末１２のフラッシュメモリ等のストレージに格納され、認証支援端末１２のＣＰＵがそれらのプログラムモジュールをメインメモリへ読み出して実行することにより制御部２６の機能が実現されてもよい。また、制御部２６は、ストレージやメインメモリ等の記憶領域へ各種データを記憶させ、そのデータを参照して各機能ブロックに係るデータ処理を実行してもよい。また、認証支援部３６に対応するアプリケーションソフトウェアが、記録メディアもしくはダウンロード形式にて配布され、認証支援端末１２にインストールされてもよい。また、申請情報保持部２２、認証用情報保持部２４の機能は、認証支援端末１２のストレージやメインメモリ等の記憶装置により実現されてもよい。
【００２５】
タッチパネル２０は、入力装置（例えばタッチパッド）と一体形成された表示装置（例えば液晶パネル）である。操作検出部２８は、タッチパネル２０や、認証支援端末１２に配置された各種のボタンに対して入力されたユーザ操作を検出し、その操作内容を認証支援部３６に渡す。表示制御部３０は、タッチパネル２０の表示内容を制御し、認証支援部３６から渡されたテキストデータや画像データをタッチパネル２０に表示させる。通信処理部３２は外部装置との通信を制御する。例えば、通信処理部３２は、認証支援サーバ１０から送信されたデータを受信して、そのデータを認証支援部３６へ渡す。また例えば、通信処理部３２は、認証支援部３６から渡されたデータをＩＤカードプリンタ１４に送信する。撮影処理部３４は、被写体を撮影して写真データを取得し、そのデータを認証支援部３６に渡す。
【００２６】
申請情報保持部２２は、認証支援サーバ１０から受信した申請情報を保持する。図２は、申請情報保持部２２のデータ構造を示す。申請情報保持部２２は、申請ＩＤ３００と、申請日３０２と、申請者３０４と、ユーザ情報３０６と、を対応付けて保持する。申請ＩＤ３００は、申請情報を一意に識別するためのＩＤである。申請日３０２は、認証用情報の作成を申請した日である。申請者３０４は認証用情報の作成を申請した申請者であり、認証情報を作成してもらうユーザ本人の氏名またはユーザから依頼を受けた担当者等の氏名が示される。ユーザ情報３０６は、認証用情報を作成してもらうユーザのユーザ情報である。つまり、申請情報にはユーザ情報が含まれる。ユーザ情報３０６は、ここでは、所属機関、氏名、氏名（ふりがな）を含む。なお、申請情報保持部２２は、これらの他に、ユーザの所属機関の責任者、その責任者の役職、ユーザの所属機関の住所など、様々な情報を含んでもよい。つまり、認証支援サーバ１０から送信される申請情報が、これらの情報を含んでいてもよい。図１に戻る。
【００２７】
認証用情報保持部２４は、認証用情報を保持する。図３は、認証用情報保持部２４のデータ構造を示す。認証用情報保持部２４は、ユーザＩＤ３１０と、ユーザ情報３１２と、顔写真データ３１４と、を対応付けて保持する。ユーザＩＤ３１０は、ユーザを一意に識別するためのＩＤである。ユーザ情報３１２はユーザ情報であり、ここでは、所属機関、氏名、氏名（ふりがな）を含む。ユーザ情報３１２は、図２のユーザ情報３０６に対応する。顔写真データ３１４は、ユーザを撮影した顔写真データである。なお、認証用情報保持部２４は、顔写真を撮影する際にどの書類・カード（免許証、パスポートなど）により本人確認したかを示す本人確認書類、ユーザを撮影した場所、その他の情報を含んでいてもよい。図１に戻る。
【００２８】
認証支援部３６は、認証用情報の作成処理を実現するための機能を提供する。認証支援部３６は、申請情報記録部３８と、認証支援画面表示部４０と、選択受付部４２と、撮影部４４と、関連付部５２と、認証用情報記録部５４と、被認証者情報受付部５６と、照合部５８と、を含む。申請情報記録部３８は、認証支援サーバ１０から申請情報を受け付け、これを申請情報保持部２２に格納する。
【００２９】
認証支援画面表示部４０は、各種画面をタッチパネル２０に表示させる。例えば、認証支援画面表示部４０は、認証用情報を作成するユーザの選択を受け付けるためのユーザ選択画面７０（図４で後述）や、認証用情報を作成するための認証用情報作成画面８０（図５で後述）をタッチパネル２０に表示させる。
【００３０】
図４は、ユーザ選択画面７０を示す。ユーザ選択画面７０には、所属機関情報エリア７２とユーザ情報エリア７４が含まれる。所属機関情報エリア７２には、ユーザが属する所属機関が表示される。この所属機関は、図３の所属機関に対応する。ユーザ情報エリア７４には、認証用情報の作成申請がなされているユーザのユーザ情報が表示される。特に、所属機関情報エリア７２において選択された所属機関のユーザのユーザ情報が表示される。このユーザ情報は、図３のユーザ情報に対応する。担当者は、このユーザ選択画面７０において認証用情報を作成するユーザ（ユーザ情報）を選択する。
【００３１】
図５、６は、認証用情報作成画面８０を示す。認証用情報作成画面８０は、申請情報エリア８２と、ユーザ情報エリア８４と、顔写真エリア８６と、を含む。これらのエリアには、図４で選択されたユーザに関する情報が表示される。具体的には、申請情報エリア８２には、図２の申請ＩＤ、申請日、申請者に対応する情報が表示される。またユーザ情報エリア８４には、図２の所属機関、氏名、氏名（ふりがな）に対応する情報が表示される。つまりユーザ情報エリア８４には、認証用情報を作成してもらうユーザのユーザ情報が表示される。顔写真エリア８６には、ユーザの顔写真が表示される。ユーザが撮影されて顔写真データされ、かつ、ユーザ情報と関連付けられると、この顔写真エリア８６にユーザの顔写真が表示される。図５は顔写真が表示されていない状態を示し、図６は顔写真が表示されている状態を示す。図１に戻る。
【００３２】
選択受付部４２は、ユーザ選択画面７０を介して、認証用情報を作成するユーザ（ユーザ情報）の選択を受け付ける。撮影部４４は、ユーザを撮影してユーザの顔写真を取得する。撮影部４４は、認証用画像撮影部４６と、被認証用画像撮影部４８と、トリミング部５０と、を含む。認証用画像撮影部４６は、ユーザを撮影して、認証用情報の一部として登録する顔写真データを取得する。特に、認証用画像撮影部４６は、認証用情報作成画面８０に配置された撮影ボタン８８が押下されたときに撮影する。もちろん、認証用画像撮影部４６は、認証支援端末１２に配置されたボタンが押下されたときに撮影するよう構成されてもよい。被認証用画像撮影部４８は、ユーザを認証する際に、被認証者であるユーザを撮影して、被認証用の顔写真データを取得する。
【００３３】
ここで、図７は、認証用画像撮影部４６または被認証用画像撮影部４８によりユーザを撮影するときにタッチパネル２０に表示される様子を示す。図７に示すように、タッチパネル２０には、トリミングガイドライン３００が表示される。認証用画像撮影部４６または被認証用画像撮影部４８がユーザを撮影すると、トリミング部５０は、このトリミングガイドラインに沿って顔写真データをトリミングする。そのため、担当者は、ユーザの顔がこのトリミングガイドライン３００に収まっている状態で撮影すればよい。図１に戻る。
【００３４】
関連付部５２はトリミングされた顔写真データをユーザ情報と関連付ける。本実施の形態では、ユーザ情報を一意に識別するＩＤ（たとえば申請ＩＤ）を写真データのファイル名とすることで、顔写真データをユーザ情報と関連付ける。例えば、申請ＩＤ「Ｓ００１」のユーザ情報が選択され、このユーザを撮影した場合は、取得した顔写真データを「Ｓ００１.ｊｐｇ」というファイル名にする。認証用情報記録部５４は、顔写真データを、対応するユーザ情報とともに認証用情報保持部２４に格納する。このとき認証用情報記録部５４は、ユーザ（ユーザ情報）を一意に特定するためのユーザＩＤを採番して、そのユーザＩＤも認証用情報保持部２４に格納する。このようにして、認証用情報が作成され、認証用情報保持部２４に保持される。
【００３５】
被認証者情報受付部５６は、被認証者であるユーザのユーザ情報（例えばユーザＩＤやユーザ名）を受け付ける。このユーザ情報と被認証用画像撮影部４８が取得した顔写真データとにより被認証情報が構成される。照合部５８は、この被認証情報を認証用情報保持部２４に保持される認証情報と照合し、ユーザを認証する。具体的には、（１）被認証情報のユーザ情報と認証用情報のユーザ情報とを、また、（２）被認証情報の顔写真データと認証用情報の顔写真データとを、それぞれ照合することにより、ユーザを認証する。顔写真データの比較については、例えば、公知の顔照合技術を用いて類似度を算出し、類似度が所定の値以上の場合に同一人物であると判断してもよい。
【００３６】
以上の構成による認証支援システム１００の動作を、認証用情報作成フェーズと照合フェーズの２つのフェーズに分けて説明する。
【００３７】
（認証用情報作成フェーズ）
図８は、認証支援システム１００における認証用情報作成処理を示すフローチャートである。ここでは、社員証を作成するために認証用情報を作成する場合を考える。
認証支援サーバ１０は、認証用情報の作成申請（社員証の作成申請）をユーザから受け付ける（Ｓ１０）。認証支援サーバ１０は、この申請の内容を申請情報として管理する。認証支援サーバ１０は、受け付けた申請情報を認証支援端末１２に送信する（Ｓ１２）。認証支援端末１２の申請情報記録部３８は、認証支援サーバ１０から送信された申請情報を申請情報保持部２２に格納する（Ｓ１４）。
【００３８】
この状態で担当者が認証支援端末１２にてアプリケーションを起動すると、認証支援端末１２の認証支援画面表示部４０はユーザ選択画面７０を表示させる（Ｓ１６）。このユーザ選択画面７０において認証用情報を作成するユーザのユーザ情報が選択されると、選択受付部４２がこれを受け付ける（Ｓ１８）。すると、認証支援画面表示部４０は、選択されたユーザ情報を含む認証用情報作成画面８０を表示する（Ｓ２０）。
【００３９】
担当者とユーザは、認証用情報作成画面８０に表示された情報がユーザ本人の情報であるかを確認する。ユーザ本人の情報である場合、担当者は撮影ボタン８８を押下する。すると、認証用画像撮影部４６は、ユーザの顔写真データを取得する（Ｓ２２）。関連付部５２は、この顔写真データをユーザ情報に関連付け（Ｓ２４）、認証用情報保持部２４に格納する。こうして、認証用情報が作成される。すると、認証用情報作成画面８０には、図６のように、顔写真データが配置される。認証支援端末１２は、作成された認証用情報をＩＤカードプリンタ１４に出力し、ＩＤカードプリンタ１４がこれを所定のカードに記録・印刷する。こうして社員証が作成される。
【００４０】
（照合フェーズ）
図９は、認証支援システム１００における照合フェーズを示すフローチャートである。ここでは、社員証を受け取りに来たユーザが、社員証のユーザ本人であるか否かを認証する場合を考える。
認証支援端末１２は、ＩＤカードを受け取りに来たユーザの被認証情報を取得する（Ｓ３０）。具体的には、被認証用画像撮影部４８が、受け取りに来たユーザの顔写真データを取得する。また、被認証者情報受付部５６が、受け取りに来たユーザによるユーザ情報の入力を受け付ける。照合部５８は、被認証情報と認証用情報保持部２４に保持される認証用情報とを用いて、受け取りに来たユーザが社員証のユーザ本人であるか否かを認証する（Ｓ３２）。本人である場合、担当者は、ＩＤカードを手渡す。
【００４１】
以上、第１の実施の形態に係る認証支援システム１００について説明した。本実施の形態に係る認証支援システム１００によると、顔写真データがユーザ情報に自動で関連付けられ、認証用情報が作成される。これにより、担当者にかかる負担が軽減される。また、認証情報の作成にかかる時間が短縮される。また、自動で関連付けられるため、ミスにより異なるユーザの顔写真データが関連付けられて誤った認証用情報が作成されるのを抑止できる。
【００４２】
また、本実施の形態に係る認証支援システム１００によると、選択されたユーザ情報が表示する認証用情報作成画面８０に、ユーザを撮影するための撮影ボタン８８が配置される。これにより、より確実に、ユーザ情報とユーザの顔写真とを対応付けることができる。
【００４３】
（第２の実施の形態）
第２の実施の形態に係る認証支援システムでは、認証情報をサーバで管理する。
図１０は、第２の実施の形態に係る認証支援システム２００の構成を示す。認証支援システム２００は、認証支援サーバ１１０と、認証支援端末１１２と、ＩＤカードプリンタ１４とを備える。本実施の形態では、認証支援サーバ１１０が、認証用情報保持部２４と、認証用情報記録部５４と、照合部５８と、を備える。また、認証支援サーバ１１０は、申請情報を保持するサーバ側申請情報保持部１６０を備える。サーバ側申請情報保持部１６０のデータ構造は、申請情報保持部２２のデータ構造と同様であり、サーバ側申請情報保持部１６０に保持されるデータが認証支援端末１１２に送信されて申請情報保持部２２に格納される。
【００４４】
本実施の形態では、関連付部５２は、認証用画像撮影部４６により取得され、トリミング部５０によりトリミングされた顔写真データを認証支援サーバ１１０に送信する。認証支援サーバ１１０の認証用情報記録部５４は、送信された顔写真データを、そのファイル名と同じ申請ＩＤのユーザ情報とともに、認証用情報保持部２４に格納する。
【００４５】
また、被認証者情報受付部５６は、被認証者であるユーザのユーザ情報（例えばユーザＩＤやユーザ名）を受け付けると、これを認証支援サーバ１１０に送信する。同様に、被認証用画像撮影部４８は、取得した被認証用の顔写真データを、トリミング部５０によるトリミング後、認証支援サーバ１０に送信する。つまり、本実施の形態では、認証支援端末１１２は、被認証用情報を取得すると、これを認証支援サーバ１１０に送信する。認証支援サーバ１１０の照合部５８は、認証支援端末１２から送信された被認証情報と、認証用情報保持部２４に保持される認証用情報とを照合して、ユーザ認証する。
【００４６】
本実施の形態に係る認証支援システム２００によると、第１の実施の形態に係る認証支援システム１００によって奏される作用効果と同様の作用効果が奏される。
【００４７】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。以下変形例を示す。
【００４８】
（変形例１）
第１、２の実施の形態では、作成した認証用情報を所定のカードに印刷してＩＤカードを作成し、これを受け取りに来たユーザが本人であるかを認証する場合について説明したが、これに限られず、第１、２の実施の形態の技術的思想は様々な場面に応用可能である。例えば、処方箋に、薬に関する情報とともに認証用情報を印刷し、処方箋を薬局に持ってきたユーザが、処方箋を発行されたユーザ本人であるか否かを確認してもよい。また例えば、コンサート等のチケットにその購入者の認証用情報を印刷し、コンサート会場に入場しようとする者が、チケットを購入した本人であるか否かを確認してもよい。
【００４９】
（変形例２）
第１、２の実施の形態では、認証支援端末１２によりユーザを撮影して顔写真データを取得し、ユーザ情報と関連付ける場合について説明したが、これに限られない。ユーザが所有する端末に、認証用情報の作成処理を実現するためのアプリケーションがインストールされ、このユーザ端末によりユーザを撮影して顔写真データを取得し、ユーザ情報と関連付けてもよい。そして、ユーザは、この写真データを認証支援端末１２または認証支援サーバ１０に送り、受け付けた認証支援端末１２または認証支援サーバ１０がユーザ情報とともに顔写真データを保持してもよい。本変形例によれば、ユーザは、顔写真を撮影するために担当者のところ（すなわち認証支援端末１２が設定されているところ）に出向く必要がなくなり、ユーザの負担が軽減される。なお、この場合でも、ＩＤカードの受け渡しの際には、カードを受け取りに来たユーザがＩＤカードのユーザ本人であるかが認証されるため、ＩＤカードの証明力は担保される。
【符号の説明】
【００５０】
１０  認証支援サーバ、  １２  認証支援端末、  １４  ＩＤカードプリンタ、  ２０  タッチパネル、  ２２  申請情報保持部、  ２４  認証用情報保持部、  ２６  制御部、  ２８  操作検出部、  ３０  表示制御部、  ３２  通信処理部、  ３４  撮影処理部、  ３６  認証支援部、  ３８  申請情報記録部、  ４０  認証支援画面表示部、  ４２  選択受付部、  ４４  撮影部、  ４６  認証用画像撮影部、  ４８  被認証用画像撮影部、  ５０  トリミング部、  ５２  関連付部、  ５４  認証用情報記録部、  ５６  被認証者情報受付部、  ５８  照合部、  ７０  ユーザ選択画面、  ７２  所属機関情報エリア、  ７４  ユーザ情報エリア、  ８０  認証用情報作成画面、  １００，２００  認証支援システム。
【図１】
2015141510.tif 000003
【図２】
2015141510.tif 000004
【図３】
2015141510.tif 000005
【図４】
2015141510.tif 000006
【図５】
2015141510.tif 000007
【図６】
2015141510.tif 000008
【図７】
2015141510.tif 000009
【図８】
2015141510.tif 000010
【図９】
2015141510.tif 000011
【図１０】
2015141510.tif 000012